(57)【要約】  【課題】    素早く取り出して使用でき、迅速にクリーニングができる携帯型灰皿の提供。  【解決手段】    ケース及び灰皿本体から構成され、該ケース内部の適当な位置に延伸棒体を設け、該延伸棒体上端に回動や開閉の動作が可能な上蓋を設け、該ケース底部に取り出し孔を開設し、且つ、該灰皿本体をケース内部に取り出し可能に設置し、該灰皿本体の中央に灰皿部を設け、その周辺に複数の挿入孔を設け、該灰皿部上方に煙草載置部を設置した構成とする。  【選択図】    図２
0003108479.tif 000002
【実用新案登録請求の範囲】
【請求項１】
ケース及び灰皿本体から構成され、該ケース内部の適当な位置に延伸棒体を設け、該延伸棒体上端に回動や開閉の動作が可能な上蓋を設け、該ケース底部に取り出し孔を開設し、且つ、該灰皿本体をケース内部に取り出し可能に設置し、該灰皿本体の中央に灰皿部を設け、その周辺に複数の挿入孔を設け、該灰皿部上方に煙草載置部を設置したことを特徴とする携帯型灰皿。
【請求項２】
ケース及び灰皿本体から構成され、該ケースは空心の長方体であり、該ケース上方に対合する上蓋を設け、該上蓋とケースの接合箇所にヒンジこうぞうを設け、且つ、該ケース底部に取り出し孔を開設し、該灰皿本体の中心に管状灰皿部を突出させて設け、該管状灰皿部の上縁部に開口部を開設し、該開口部の両側中央部に対向する凹み槽を開設し、且つ、該灰皿本体の管状灰皿部の両側に位置する平面を波形に形成したことを特徴とする携帯型灰皿。
【請求項３】
前記のうち、煙草載置部が漏斗状であり、且つ、その上縁部に２つの対向する載置孔を開設した請求項１に記載の携帯型灰皿。
【請求項４】
前記のうち、挿入孔内両側に内側に突出した対向突起を設けた請求項１または２に記載の携帯型灰皿。
【請求項５】
前記のうち、ケースの外側壁面の適当な位置にストラップを設けた請求項１または２に記載の携帯型灰皿。
【考案の詳細な説明】
【技術分野】
【０００１】
本考案は携帯型灰皿に関し、携帯して随時煙草の灰や吸殻を入れることができる灰皿であって、特に、素早く取り出して使用でき、且つ迅速に清潔さを維持することができる携帯型灰皿に関する。
【背景技術】
【０００２】
近年来、環境保護の意識が高まり、公害防止法など多くの環境保護法規ができ、公共の場所における禁煙に対しても関連罰則が作られると共に、多くの場所から煙草の灰皿が撤去され、現在まだ少なくない煙草の愛好者にとっては不便であるため、市場には携帯型灰皿が出回るようになり、開放空間でありながら灰皿が設置されていない場所における喫煙と吸殻の回収を可能にしている。
【０００３】
図１に従来の携帯型灰皿を示す。灰や吸殻を収集するための容器またはケースaの体積は小さく、且つ、対応するカバーbにより密閉され、さらに、該容器またはケースaの背面にクリップcを設置し、ベルトや鞄上に留めて携帯でき、使用時には取り外してカバーbを開け、灰や吸殻を該容器またはケースa内に収集する構造である。この従来の携帯型灰皿のクリーニングは、直接灰皿部分を取り外すことができないため、容器またはケースa及びカバーbの内部をすべて洗浄しなければならず不便であり、また、このような従来の携帯型灰皿の表面は単調で他の機能を何も備えておらず、携帯して外出し使用するときに、灰皿としての単一の機能しかないため、実用性に欠ける。
【０００４】
このため、上述の欠点に鑑みて、本考案は携帯型灰皿に改良を加え、使用上の利便性が高いだけでなく、クリーニングに手間と時間がかからず、且つ、美観を兼ね備えた携帯型灰皿を提供するものである。
【考案の開示】
【考案が解決しようとする課題】
【０００５】
本考案は、上述の従来構造の欠点に鑑みて、考案者が該項事業における長年の経験に基づき研究を重ね、斬新な携帯型灰皿を提供するものである。
【０００６】
本考案の主な目的は、素早く取り出して使用でき、迅速にクリーニングができる携帯型灰皿を提供することにある。
【課題を解決するための手段】
【０００７】
上述の目的を達するため、本考案の携帯型灰皿は、ケース及び灰皿本体から構成され、そのうち、該ケース内部の適当な位置に延伸棒体を設け、該延伸棒体の上端に回動や開閉が可能な上蓋を設置し、ケース底部に押し出し孔を開設し、且つ、灰皿本体をケース内部に取り出し可能に設置し、灰皿本体中央に灰皿部を設け、その周辺に複数の挿入孔を設け、且つ、灰皿部上方に煙草載置部を設けた構成とする。
【０００８】
上述の構造により、その使用時には、上蓋を開けて上方向へ持ち上げ、延伸棒体を伸出させ、上蓋をケースの反対側へ倒し、灰皿本体の煙草載置部をケース外へ露出させ、灰落としとして利用できるようにし、吸い終わった後の吸殻を捨てるときは、灰皿本体をケース底部の押し出し孔から上方向へ押し出し、灰皿本体の挿入孔をケース外へ露出し、残った吸殻を挿入孔内に入れる。クリーニング時には、ケース底部の押し出し孔から同様に灰皿本体を押し出し、完全に灰皿本体を取り出せるまで押し出して迅速に洗浄でき、使用と洗浄を迅速に行うという目的を達することができる。
【考案を実施するための最良の形態】
【０００９】
本考案の構造、装置及びその特徴について、以下最良の実施例と図面に基づき詳細に説明する。
【実施例１】
【００１０】
図２、図３に示すように、本考案の携帯型灰皿は、ケース１０及び灰皿本体２０から構成され、そのうち、該ケース１０は、空心の円柱体に形成し、その内部の適当な位置に延伸棒体１１を設け、該延伸棒体１１の上端に軸接装置１１aを設置し、該軸接装置１１aと上蓋１２を相互に連結した後、上蓋１２は回動と開閉等の動作ができる。さらに、該ケース１０底部に押し出し孔１３を開設し、且つ、灰皿本体２０をケース１０内部に取り出し可能に設置し、灰皿本体２０の中央に灰皿部２１を設け、その周辺に複数の挿入孔２２を設置し、さらに、灰皿部２１上方に漏斗状の煙草載置部２１aを嵌合して設け、且つ、該煙草載置部２１aの上縁部に２つの対向する載置孔２１a１を開設し、ケース１０側面にストラップ２３を設置し、携帯時の落下を防止する。
【実施例２】
【００１１】
図４、図５に本考案の別の実施例を示す。そのうち、ケース１０は空心の長方体とし、該ケース１０上方に対合する上蓋１２を設け、上蓋１２とケース１０の接合箇所にヒンジ構造１２aを設け、且つ、該ケース１０底部に押し出し孔１３を開設し、灰皿本体２０を押し出して使用することができるようにする。灰皿本体２０の中心に管状灰皿部２１を突出して設け、該管状灰皿部２１上縁部に開口部２１bを形成し、該開口部２１bの両側中央部に対向する凹み槽２１b１を開設し、該凹み槽２１b１を利用し、点火された煙草を載置することができ、且つ、灰皿本体２０の管状灰皿部２１両側に位置する平面を波形に形成し、図４Aに示すように、該平面上に2列の挿入孔２２を設け、該挿入孔２２内両側に内側へ向かって突出した対向突起２２aを設け、且つ、側面にストラップ２３を設置し、携帯時の落下を防止する。
【００１２】
上述のように、本考案の携帯型灰皿は、上方向に延伸可能な灰皿本体とケースの結合により、迅速に取り出して使用できる利便性と、使用後のクリーニングにおける利便性を兼ね備えており、実用性と進歩性を備えているため、特許法の規定に従い、ここに実用新案登録を出願するものである。
【図面の簡単な説明】
【００１３】
【図１】従来の携帯型灰皿の立体図である。
【図２】本考案の立体分解図である。
【図３】本考案の立体組み立て図である。
【図４】本考案の別の実施例の立体分解図である。
【図４Ａ】図４の実施例の挿入孔の断面図である。
【図５】図４の実施例の立体組み立て図である。
【符号の説明】
【００１４】
１０        ケース
２０        灰皿本体
１１        延伸棒体
１１a      軸接装置
１２        上蓋    
１２a      ヒンジ
１３        押し出し孔
２１        灰皿部
２１a      煙草載置部
２１a１    載置孔
２１b      開口部
２１b１    凹み槽
２２        挿入孔
２２a      対向突起
２３        ストラップ
【図１】
0003108479.tif 000003
【図２】
0003108479.tif 000004
【図３】
0003108479.tif 000005
【図４】
0003108479.tif 000006
【図４Ａ】
0003108479.tif 000007
【図５】
0003108479.tif 000008